(57)【要約】【課題】１つの可動枠の使用下で多種多様の形態のパチンコ遊技機の提供を図る。【解決手段】前扉４が可動枠３の前側に片開きされた状態において、先ず、表示ユニット６１が可動枠３に取り付けられ、次に、遊技盤４１が可動枠３に取り付けられる形態であり、１つの可動枠３に、光透過性を有する無色な合成樹脂板により構成された遊技基盤４２に遊技部品を取り付けた遊技盤４１と大形な画像表示器６２とを併有したパチンコ遊技機、光遮蔽性を有する板状に構成された遊技基盤に遊技部品を取り付けた遊技盤と小形な画像表示器とを併有したパチンコ遊技機、画像表示器を使用しないで光遮蔽性を有する板状に構成された遊技基盤に遊技部品を取り付けた遊技盤を使用したパチンコ遊技機など、多種多様の形態のパチンコ遊技機が提供される。【選択図】図１
2008022980.tif 000002
【特許請求の範囲】
【請求項１】
可動枠には、遊技盤を前側から取り付けられる盤収容室と、盤収容室の背壁に前後方向への貫通孔として形成された中央開口部と、表示ユニットを前側から盤収容室および中央開口部を経由して取り付けられる表示収容室とが設けられたことを特徴とするパチンコ遊技機。
【請求項２】
請求項１に記載の表示ユニットが可動枠の前側から盤収容室および中央開口部を経由して表示収容室に取り付けられる表示ケースと表示ケースに取り付けられた画像表示器とを備えたことを特徴とするパチンコ遊技機。
【請求項３】
請求項１に記載の表示ユニットが可動枠の前側から盤収容室および中央開口部を経由して表示収容室に取り付けられる表示ケースと表示ケースに取り付けられた表示アダプタと表示アダプタに取り付けられた画像表示器とを備えたことを特徴とするパチンコ遊技機。
【発明の詳細な説明】
【技術分野】
【０００１】
本発明は、遊技盤と大形な画像表示器または小形な画像表示器との組み合わせ、遊技盤を使用するものの画像表示器を使用しないなど、多種多様の形態のパチンコ遊技機を１つの可動枠の使用下で提供できるパチンコ遊技機に関する。
【背景技術】
【０００２】
パチンコ遊技機には、特許文献１や特許文献２で開示されたものが知られている。特許文献１で開示されたパチンコ遊技機は、前面枠が本体の前側で前側に開かれかつ後側に閉じられるように本体に片開き可能に取り付けられ、裏枠が前面枠の裏面に固定的に取り付けられ、遊技盤が裏枠の裏側から裏枠の裏面に取り付けられ、機構板が裏枠の裏側で裏側に開かれかつ前側に閉じられるように裏枠に片開き可能に取り付けられ、表示器が機構板に取り付けられた構造になっているため、遊技盤の種類を別の種類に交換する場合、前面枠を開いた後、機構板を裏側に開けなければならず、遊技盤の交換が面倒であるという欠点がある。特許文献２で開示された遊技機枠は、前枠の前面側に広面の凹部を形成し、凹部の中央に表示ユニットやリールユニットを前面側から装着できる狭面の凹部を形成した構造であるため、狭面の凹部に装着した表示ユニットやリールユニットの前に位置するようにパチンコ遊技機の遊技盤を前枠に組み付けることができないという欠点がある。
【特許文献１】特開平６−２６９５３８号公報
【特許文献２】特開平７−６８０３６号公報
【発明の開示】
【発明が解決しようとする課題】
【０００３】
発明が解決しようとする問題点は、遊技盤と大形な画像表示器または小形な画像表示器との組み合わせ、遊技盤を使用するものの画像表示器を使用しないなど、多種多様の形態のパチンコ遊技機を１つの可動枠の使用下で提供できない、という点である。
【課題を解決するための手段】
【０００４】
本発明に係るパチンコ遊技機は、遊技盤を前側から取り付けられる盤収容室と、盤収容室の背壁に前後方向への貫通孔として形成された中央開口部と、表示ユニットを前側から盤収容室および中央開口部を経由して取り付けられる表示収容室とが、可動枠に設けられたことを最も主要な特徴とする。表示ユニットが可動枠の前側から盤収容室および中央開口部を経由して表示収容室に取り付けられる表示ケースと表示ケースに取り付けられた画像表示器とを備えたり、または、表示ユニットが可動枠の前側から盤収容室および中央開口部を経由して表示収容室に取り付けられる表示ケースと表示ケースに取り付けられた表示アダプタと表示アダプタに取り付けられた画像表示器とを備えたりしてもよい。
【発明の効果】
【０００５】
本発明に係るパチンコ遊技機は、盤収容室と中央開口部および表示収容室が前から後に順に配置されるように可動枠に設けられたことによって、可動枠に遊技盤と大形な画像表示器とを組み付ける場合、可動枠に遊技盤と小形な画像表示器とを組み付ける場合、可動枠に表示ユニットを使用することなく遊技盤を組み付ける場合が提供できるという利点がある。表示ユニットが可動枠の前側から盤収容室および中央開口部を経由して表示収容室に取り付けられる表示ケースと表示ケースに取り付けられた画像表示器とを備えれば、可動枠に光透過性を有する遊技盤と大形な画像表示器とを組み付けることによって、遊技者が表示ユニットで表示された遊技演出と遊技盤による球の流れや入賞との双方を見ることができるという利点がある。表示ユニットが可動枠の前側から盤収容室および中央開口部を経由して表示収容室に取り付けられる表示ケースと表示ケースに取り付けられた表示アダプタと表示アダプタに取り付けられた画像表示器とを備えれば、小形の画像表示器が表示アダプタを介して表示ケースに取り付けられるという利点がある。
【発明を実施するための最良の形態】
【０００６】
図１乃至図１２は、発明を実施するための最良の形態である。図１は、パチンコ遊技機を分解して示す。図２は、表示ユニット６１が遊技機枠１に取り付けられた外観を示す。図３は、表示ユニット６１が可動枠３に取り付けられた縦断面を示す。図４は、遊技盤４１が遊技機枠１に取り付けられた外観を示す。図５は、遊技盤４１および表示ユニット６１が可動枠３に取り付けられた縦断面を示す。図６は、遊技盤４１および表示ユニット６１の遊技機枠１に取り付けられた横断面を示す。図７は、表示ユニット６１と遊技盤４１との関係を示す。図８は、表示ユニット６１を分解して示す。図９は、固定具６７を分解して示す。図１０は、固定具６７の固定取付部６６に取り付けられた縦断面を示す。図１１は、固定具６７の表示取付部２８に挿入された縦断面を示す。図１２は、固定具６７の表示取付部２８に取り付けられた縦断面を示す。本明細書において、「前」、「表」、「後」、「裏」、「左」、「右」、「上」、「下」の方向は、図１の状態に遊技機枠１および遊技盤を置いて矢印Ａで示す前側から見た場合に特定される方向である。「前」および「表」は、同じ方向である。「後」および「裏」は、同じ方向である。
【０００７】
図１を参照し、パチンコ遊技機の構造について説明する。パチンコ遊技機は、遊技機枠１の内部に遊技盤４１を交換可能に格納した形態である。遊技機枠１は、固定枠２の前側に可動枠３を開閉可能に備え、可動枠３の前側に前扉４および球皿構造体５を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、左側に位置するヒンジ６を中心とし、固定枠２の前側で前側に開かれかつ後側に閉じられるように、片開き可能であって、遊技盤４１、表示ユニット６１、図外の制御装置など遊技に必要な部品を取り付ける前枠とも呼ばれる。前扉４および球皿構造体５は、個別に、左側に位置するヒンジ７を中心とし、可動枠３の前側で前側に開かれかつ後側に閉じられるように、片開き可能である。
【０００８】
可動枠３は、施錠装置８、ロック機構９；１０；１１、ロック解除操作体１２、盤収容室１３、中央開口部１４、盤押圧台１５、盤押圧ばね１６、盤受止体１７、盤ロック台１８、盤ロック操作体１９、盤棚２０、前壁２１、球発射機構２２、球発射レール２３、戻り球取入口２４、機内排出樋２５、機外排出樋２６、表示収容室２７、表示取付部２８、表示棚２９、表示受止体３０、タンク３１を備える。
【０００９】
施錠装置８、ロック機構９乃至１１、ロック解除操作体１２は、可動枠３の右側部に設けられる。盤収容室１３は、遊技盤４１を可動枠３の前側から収容して取り付けられるように、前側に開口した形状として、可動枠３の内側に設けられる。中央開口部１４は、前後方向への貫通孔として、盤収容室１３の背壁に設けられる。盤押圧台１５は、盤収容室１３の背壁の左側部から前側に突出した突起として、盤収容室１３に上下に設けられる。盤押圧ばね１６は、遊技盤４１を前側に押す板ばねのような弾性体であって、盤押圧台１５の前面に個別に設けられる。盤受止体１７は、盤押圧ばね１６で前側に押された遊技盤４１を受け止めるものであって、盤収容室１３の左側壁から右側に突出した突起として、盤収容室１３に上下に設けられる。
【００１０】
盤ロック台１８は、盤収容室１３の背壁の右側部から前側に突出した突起として、盤収容室１３に上下に設けられる。盤棚２０は、遊技盤４１を搭載する左右方向に平坦な面として、盤収容室１３の下縁部に設けられる。前壁２１は、盤棚２０から下側に延設された縦壁である。球発射機構２２、球発射レール２３、戻り球取入口２４、機内排出樋２５が、前壁２１に設けられる。ロック解除操作体１２、球発射機構２２、球発射レール２３、戻り球取入口２４、機内排出樋２５は、球皿構造体５が閉じられた場合、球皿構造体５で覆い隠される。機外排出樋２６は、盤棚２０から裏側に設けられる。
【００１１】
表示収容室２７は、盤収容室１３よりも後側に位置し、表示ユニット６１を可動枠３の前側から盤収容室１３を経由して収容して取り付けられるように、前側に開口した形状として、可動枠３に設けられる。表示取付部２８は、前側に開口した凹部として、表示収容室２７の上部に設けられる。表示棚２９は、盤棚２０よりも上方に位置し、機外排出樋２６から裏側に突出し、表示ユニット６１を搭載する左右方向に平坦な面として、表示収容室２７の下縁部に設けられる。表示受止体３０は、表示棚２９に搭載された表示ユニット６１の下縁部が前側に移動しないように受け止めるものであって、表示棚２９から上方に突出した突起として、表示棚２９に左右に設けられる。タンク３１は、可動枠３の裏部に設けられ、遊技機設置構造体の補給機構から供給される球を貯蔵し、貯蔵した球を可動枠３の裏部に設けられた図外の球払出機構に供給する。
【００１２】
前扉４は、パネル枠とも呼ばれ、前後方向に貫通する窓３３を備える。窓３３は、前面パネル３４で塞がれる。前面パネル３４は、前扉４の裏面に設けられた光透過性の有る無色なガラスのような板状の部材により構成される。
【００１３】
球皿構造体５は、球受皿３５および球発射操作機構３６を、球皿構造体５の前面から前側に突出した形態に備える。球受皿３５は、遊技に使用する球を受ける上側に開口した上側から下側に窪む容器である。球発射操作機構３６は、遊技者が球を発射するために操作するものである。球皿構造体５の裏面には、球取入口３７および球供給口３８が設けられる。
【００１４】
図１に示すように、可動枠３、前扉４、球皿構造体５が開かれた状態において、遊技店の店員が可動枠３を後側に押すと、可動枠３がヒンジ６を中心として後側に閉じられて固定枠２にロック機構９で開閉不能に支持され、遊技店の店員が球皿構造体５を後側に押すと、球皿構造体５がヒンジ７を中心として後側に閉じられて可動枠３にロック機構１１で開閉不能に支持され、その後、遊技店の店員が前扉４を後側に押すと、前扉４がヒンジ７を中心として後側に閉じられて可動枠３にロック機構１０で開閉不能に支持される。
【００１５】
可動枠３が閉じられて固定枠２にロック機構９で開閉不能に支持され、前扉４および球皿構造体５が閉じられて可動枠３にロック機構１０；１１で開閉不能に支持された状態において、遊技店の店員が図外のキープレート（鍵）を遊技機枠１の前側から施錠装置８の鍵穴に挿入し、当該キープレートを例えば右側に９０度回転操作すると、固定枠２と可動枠３とのロック機構９による支持形態が解除される。この支持形態の解除後に、店員が可動枠３を前側に引くことによって、可動枠３はヒンジ６を中心として前側に片開きされる。
【００１６】
前記施錠装置８の鍵穴に挿入されたキープレートが例えば左側に９０度回転操作されると、可動枠３と前扉４とのロック機構１０による支持形態が解除される。この支持形態の解除後に、店員が前扉４を前側に引くことによって、前扉４はヒンジ７を中心として前側に片開きされる。このように、前扉４が前側に開かれた状態において、店員がロック解除操作体１２を操作すると、可動枠３と球皿構造体５とのロック機構１１による支持形態が解除される。この支持形態の解除後に、店員が球皿構造体５を前側に引くことによって、球皿構造体５はヒンジ７を中心として前側に片開きされる。
【００１７】
遊技盤４１は、遊技基盤４２に、多種多様な遊技部品を備える。遊技基盤４２は、光透過性を有する無色な合成樹脂板により構成される。遊技基盤４２の前面には、遊技領域４３が設けられる。遊技領域４３は、遊技盤４１の前面の内ガイドレール４４および外ガイドレール４５で囲まれた部分である。内ガイドレール４４および外ガイドレール４５は、ステンレスまたは合成樹脂などの光遮蔽性の有る素材により構成される。遊技領域４３の左側には、球発射通路４６が接続される。球発射通路４６は、内ガイドレール４４の左側部と外ガイドレール４５の左側部との間の隙間によって形成される。遊技領域４３には、アウト口４７、球戻り防止弁４８、球反発体４９、始動部品５０、可変入賞装置５１、図外の入賞部品、図外の遊技釘などが設けられる。内ガイドレール４４、外ガイドレール４５、アウト口４７、球戻り防止弁４８、球反発体４９、始動部品５０、可変入賞装置５１、図外の入賞部品、図外の遊技釘などは、遊技基盤４２の前側に設けられる多種多様な遊技部品を構成する。
【００１８】
遊技基盤４２の右部にはロック挿入孔５２が上下に設けられる。遊技基盤４２の裏部には、球案内体５３が設けられる。球案内体５３は、セット板や集合樋とも呼ばれ、遊技基盤４２の遊技領域４３から始動部品５０、可変入賞装置５１、図外の入賞部品、アウト口４７を経由して遊技基盤４２の裏側に排出された球を下側に誘導するための裏側部品である。遊技基盤４２の右下部には、証紙台５４が前後方向に開閉可能に設けられる。証紙台５４が、遊技基盤４２との連結部である図外のヒンジを中心として前方に開かれることによって、下部のロック挿入孔５２が、遊技基盤４２の前側から見える格好となる。そして、証紙台５４が上記ヒンジを中心として後方に閉じられると、下部のロック挿入孔５２が証紙台５４で覆われて遊技基盤４２の前側から見えなくなる。閉じられた証紙台５４の前面には、遊技盤４１の検査に合格して販売の認可を受けたことを示す図外の証紙が、貼り付けられる。
【００１９】
表示ユニット６１では、画像表示器６２の表示画面６３が前側に向けられ、画像表示器６２が表示ケース６４の内部に収容され、表示ケース６４の周壁６５が表示画面６３よりも前側に突出して表示画面６３を囲む仕切壁を構成し、表示画面６３に表示された画像が表示ユニット６１の前側から仕切壁を構成する周壁６５で囲まれた画像視認空間を経由して視認され、固定取付部６６が周壁６５の上片部から上方に突出するように表示ケース６４に設けられ、固定具６７が固定取付部６６に設けられ、逃避部６８が周壁６５の下片部の中央部を除去された形態として表示ケース６４に設けられる。表示ケース６４および画像表示器６２の構造については、図８で説明する。
【００２０】
図１乃至図５を参照し、遊技盤４１および表示ユニット６１が可動枠３に取り付けられる場合について説明する。図１において、少なくとも、前扉４が可動枠３の前側に片開きされた状態において、先ず、表示ユニット６１が可動枠３に取り付けられ、次に、遊技盤４１が可動枠３に取り付けられる。表示ユニット６１が可動枠３に取り付けられる場合、表示画面６３が前側に向けられ、表示ケース６４の裏面が遊技機枠１の方に向けられ、表示ユニット６１が遊技機枠１の前側から盤収容室１３および中央開口部１４を経由して表示収容室２７に格納され、表示ユニット６１の下縁部が表示受止体３０を前側から後側に越えて表示棚２９の上に搭載される。その後、固定具６７が前側から後側に押し込まれて表示取付部２８に固定される。これによって、表示ユニット６１が、図２および図３に示すように、遊技機枠１に取り付けられる。つまり、図３に示すように、表示ユニット６１の固定取付部６６よりも前部が盤収容室１３に突出しないで表示収容室２７に収容され、表示ユニット６１の固定取付部６６よりも後部が中央開口部１４を経由して可動枠３の裏側に突出する。
【００２１】
遊技盤４１が可動枠３に取り付けられる場合、遊技領域４３が前側に向けられ、遊技基盤４２の裏面が遊技機枠１の方に向けられ、遊技盤４１が遊技機枠１の前側から盤収容室１３に挿入され、遊技基盤４２の下部が盤棚２０の上に載せられ、遊技基盤４２の左側部が盤押圧ばね１６と盤受止体１７との間に挿入されて盤押圧ばね１６と盤受止体１７とで前後方向から挟まれる。その後、遊技基盤４２の右側部が前側から後側に押され、盤ロック操作体１９がロック挿入孔５２に後側から挿入されて前側に突出した状態において、盤ロック操作体１９が例えば右方向に９０度回転操作され、盤ロック操作体１９がロック挿入孔５２の周りにおける遊技基盤４２と係合し、遊技盤４１が図４および図５に示すように、可動枠３に取り付けられる。つまり、図５に示すように、遊技基盤４２の裏面が表示ユニット６１の周壁６５に接触するかまたは接触する程度に近接し、遊技盤４１の球案内体５３が表示ユニット６１の逃避部６８を上下に貫通する。
【００２２】
図１において、遊技盤４１が遊技機枠１に格納され、前扉４および球皿構造体５が閉じられた場合、遊技領域４３は、遊技機枠１の前側から窓３３および前面パネル３４を経由して視認される。その状態において、遊技者が球受皿３５にパチンコ球と呼ばれる球を入れ、遊技者が球発射操作機構３６を右回りに操作すると、球発射機構２２が球発射操作機構３６の操作量に応じた発射力で駆動し、球発射機構２２が球受皿３５から遊技機枠１の内部に取り込まれた球を１個ずつ球発射通路４６に向けて発射する。球発射通路４６に発射された球は、球戻り防止弁４８を押し開けて遊技領域４３に到達する。遊技領域４３に到達した球は、遊技領域４３を流下する過程において、遊技部品に衝突して、流れる方向を変えながら、始動部品５０、可変入賞装置５１、図外の入賞部品のいずれかに入って遊技盤４１の裏側に排出された後に球案内体５３から機外排出樋２６を経由して遊技機設置構造体の捕球機構に排出される。始動部品５０、可変入賞装置５１、図外の入賞部品のいずれにも入らないで、遊技領域４３の最下部に到達した球は、アウト口４７から遊技盤４１の裏側に排出された後に盤棚２０から機外排出樋２６を経由して遊技機設置構造体の捕球機構に排出される。球が始動部品５０、可変入賞装置５１、図外の入賞部品のいずれかに入ると、図外の球払出機構が賞球としての球を遊技者に与えるように機内排出樋２５を経由して球受皿３５に払い出す。外ガイドレール４５が合成樹脂から構成された場合、外ガイドレール４５における球発射機構２２から発射された球の衝突する部分に、ステンレス製の保護部材を設け、球発射機構２２から発射された球が保護部材に衝突するようにすればよい。
【００２３】
図６を参照し、遊技盤４１および表示ユニット６１が遊技機枠１に取り付けられ、前扉４が開閉不能に閉じられたパチンコ遊技機の内部構造について説明する。表示ユニット６１が可動枠３の前側から盤収容室１３を経由して表示収容室２７に格納された後、遊技盤４１が可動枠３の前側から盤収容室１３に格納された構造である。つまり、表示ユニット６１が可動枠３の前側から可動枠３の後部に取り付けられ、表示ユニット６１が可動枠３の後部と遊技盤４１との間に配置されて可動枠３に取り付けられた構造である。そして、内ガイドレール４４の前部や外ガイドレール４５の前部が前面パネル３４に接触する程度に近接され、遊技領域４３および球発射通路４６が遊技機枠１の前側から窓３３および前面パネル３４を経由して視認されるようになる。よって、表示ユニット６１が遊技演出のための画像表示を行い、球が遊技領域４３を流下することによって、遊技者が表示ユニット６１で表示された遊技演出と球の流れや入賞との双方を見ることができるという利点がある。
【００２４】
また、表示ケース６４の前部が遊技基盤４２の裏面に接触するかまたは接触する程度に近接され、遊技基盤４２が光透過性を有する無色な合成樹脂から構成されたことによって、画像表示器６２の表示ケース６４で囲まれた表示画面６３が遊技機枠１の前側から遊技領域４３および周壁６５で囲まれた画像視認空間を経由して視認されるようになる。表示ケース６４が可動枠３の後部に設けられたので、１７インチなどの大形な表示画面６３を有する画像表示器６２が使用できるという利点がある。この大形な画像表示器６２を取り付ける表示ケース６４の大きな裏面が制御装置の設置場所として活用できるという利点がある。
【００２５】
図７を参照し、表示ユニット６１が遊技盤４１の裏側に配置された構造について説明する。表示ユニット６１の表示画面６３は、遊技領域４３の中央部と対応する。具体的には、遊技領域４３と表示画面６３とが互いに対応する部分において、仮想線Ｌで囲まれた領域が表示画面６３に表示された画像を遊技盤４１の前側から見える透視領域として構成される。仮想線Ｌよりも外側の領域が表示画面６３に表示された画像や遊技盤４１の裏側を遊技盤４１の前側から見えないようにするために、当該仮想線Ｌよりも外側の領域には図外の光遮蔽性を有する合成樹脂からなる目隠し部材が遊技盤４１の前面を覆い隠すように配置される。仮想線Ｌよりも下部には、光遮蔽性を有する始動部品５０や光遮蔽性を有する可変入賞装置５１が配置される。目隠し部材としては、光遮蔽性を有する部材により、化粧部材や照明部材などとして構成される。このように仮想線Ｌよりも外側の領域が目隠し部材で覆い隠されることによって、遊技盤４１における仮想線Ｌよりも外側の領域と対応する部分の裏側が遊技盤４１の前側から見えなくなるという利点がある。つまり、仮想線Ｌよりも外側の領域は、目隠し領域として構成される。内ガイドレール４４と外ガイドレール４５と球発射通路４６および球戻り防止弁４８が仮想線Ｌよりも外側の領域を覆う目隠し部材に設けられる。
【００２６】
図８を参照し、表示ユニット６１の構造について説明する。表示ケース６４の周壁６５が画像表示器６２の裏面と対応する方形な筐体基盤７０の周囲から前側に直角に突出し、画像表示器６２が表示ケース６４の前側から格納されるように、表示ケース６４が前側に開口した箱形に構成される。表示ケース６４には、回路収容部７１、配線孔７２、放熱孔７３、表示取付部７４が設けられる。回路収容部７１は、画像表示器６２の裏面に設けられた回路部を表示ケース６４の前側から格納させるように、前側に開口し、筐体基盤７０の前面から裏側に突出した窪みとして、筐体基盤７０に設けられる。配線孔７２は、筐体基盤７０の裏側から回路部に配線するための被覆電線に結線されたコネクタを通すために、前後方向への貫通孔として、回路収容部７１の背壁に設けられる。放熱孔７３は、画像表示器６２や回路部からの発熱を回路収容部７１から表示ケース６４の外に放出するために、前後方向への貫通孔として、回路収容部７１の側壁に設けられる。表示取付部７４は、画像表示器６２を表示ケース６４に取り付けるために、前後方向への貫通孔として、筐体基盤７０に設けられる。
【００２７】
画像表示器６２が液晶表示器の場合、バックライトや導光部材および拡散部材などのような表示画面６３を全体的に照明するバックライト機構部材が、画像表示器６２に含まれる。表示画面６３には、図外の保護パネルが、接触かつ重ね合わされて設けられる。保護パネルは、ガラスまたは合成樹脂などの光を透過する性質の有る材料からなる板状である。画像表示器６２の裏面には、図外の回路部および図外のコネクタが、画像表示器６２の裏面から裏側に突出して設けられる。画像表示器６２や回路部および保護パネルが、金属フレーム７６で一体となるように支持される。金属フレーム７６の前部には前開口７７が形成される。前開口７７は、保護パネルの前面が露出する。表示画面６３に表示された画像は、金属フレーム７６の前側から、前開口７７および保護パネルを経由して視認可能になる。回路部は、画像表示器６２が表示画面６３に画像を表示し得るように画像表示器６２を起動したり、バックライトを点灯したりするための、駆動や制御などの電気部品である。金属フレーム７６の裏部には、ケース取付部７８が設けられる。
【００２８】
表示ユニット６１が組み立てられる場合について説明する。画像表示器６２と保護パネルおよび金属フレーム７６からなる構造体が表示ケース６４の前側から内部に格納され、止ねじ７９が表示ケース６４の裏側から表示取付部７４を経由してケース取付部７８に締結される。これによって、画像表示器６２と保護パネルおよび金属フレーム７６からなる構造体が表示ユニット６１に取り付けられ、表示ユニット６１が図１に示す形態になる。
【００２９】
図９を参照し、固定具６７の構造について説明する。固定具６７は、係合具８１および操作具８２を備える。係合具８１および操作具８２は、互いに別々に形成される。係合具８１は、前後方向に貫通する中心孔８３を有する円筒体８４の一端部に受部８５を備え、円筒体８４の他端部に掛止部８６を備える。受部８５は円筒体８４の一端部より軸心方向の一方の外側に開口する皿状である。受部８５と掛止部８６との間における円筒体８４の外周面は、受部８５の外径と掛止部８６の外径との双方よりも細い、くびれ部８７として形成される。掛止部８６は、割溝８８によって、周方向に独立した複数の片持ち梁のような弾性片として形成される。割溝８８は、掛止部８６の他端部とくびれ部８７との間を、軸心方向と直径方向とに切り欠かれる。掛止部８６を構成する各弾性片の中心孔８３を囲む内面には、突起８９が、軸心方向に向けて突出する。
【００３０】
操作具８２は、棒本体９０の一端部に鍔９１とくびれ部９２と摘み９３とを備え、棒本体９０の他端部に係合溝９４を備える。棒本体９０は、受部８５の方向から中心孔８３に挿入されるとともに、中心孔８３に挿入された場合に突起８９を中心孔８３の径方向外側に押して掛止部８６を押し広げる、太さである。鍔９１は、棒本体９０の外径よりも大きな外径であって、受部８５における周壁で囲まれた内部に取り込まれる大きさである。くびれ部９２は、鍔９１から同軸状に突出し、鍔９１と摘み９３との双方よりも細い。摘み９３は、くびれ部９２から同軸状に突出し、くびれ部９２と鍔９１との双方よりも太い円盤形状である。
【００３１】
図１０を参照し、固定具６７が固定取付部６６に取り付けられた構造について説明する。係合具８１のくびれ部８７が、固定取付部６６の具取付孔９５に嵌め込まれることによって、受部８５と掛止部８６とが、具取付孔９５の周囲における固定取付部６６を挟む格好となり、係合具８１が、固定取付部６６に取り付けられ、掛止部８６が固定取付部６６より突出する。そして、操作具８２の棒本体９０が、係合具８１の受部８５の方向から中心孔８３に挿入されることによって、係合溝９４が、突起８９に嵌め込まれた格好となり、操作具８２が、係合具８１に取り付けられる。これによって、固定具６７が固定取付部６６に取り付けられる。
【００３２】
図１１および図１２を参照し、固定具６７が可動枠３に固定される構造について説明する。先ず、図１１に示すように、固定具６７の掛止部８６が表示取付部２８に挿入され、固定取付部６６と表示取付部２８の周りにおける可動枠３とが互いに接触する。
【００３３】
次に、図１２に示すように、人が、操作具８２の摘み９３を矢印Ｘ１で示す方向に押すことによって、突起８９と係合溝９４との嵌まり合いが解除され、棒本体９０が中心孔８３の内部を奥に進入する。これに伴い、棒本体９０の外周面が、突起８９を中心孔８３の径方向外側に押して、掛止部８６を押し広げる。この押し広げられた掛止部８６が、表示取付部２８を径方向外側に突っ張るように、表示取付部２８に接触する。これによって、固定具６７が表示取付部２８に押し込まれた形態となり、固定取付部６６が、可動枠３に、固定具６７で、取り付けられる。
【００３４】
このように固定取付部６６が、可動枠３に、固定具６７で、取り付けられた状態において、人が、操作具８２の摘み９３を矢印Ｘ２で示す方向に引くことによって、棒本体９０が中心孔８３の奥から手前に後退する。これに伴い、上記棒本体９０の外周面による突起８９に対する中心孔８３の径方向外側への押し力が弱くなり、掛止部８６が自身の弾性によって径方向内側に復帰し、突起８９が係合溝９４に嵌まり込み、掛止部８６が表示取付部２８から離れ、図１１の状態になる。これによって、固定具６７と表示取付部２８との係合が解除された形態となり、人が固定取付部６６を支持して可動枠３から離れる方向に移動すると、固定具６７の装着されたままの固定取付部６６が可動枠３から取り外される。
【産業上の利用可能性】
【００３５】
図１３乃至図１５は、発明を実施するための異なる第１の形態である。図１３は、パチンコ遊技機を分解して示す。図１４は、表示ユニット６１Ａを分解して示す。図１５は、遊技盤４１Ａおよび表示ユニット６１Ａが可動枠３に取り付けられた縦断面を示す。
【００３６】
図１３を参照し、パチンコ遊技機の構造について説明する。遊技機枠１としては、図１の遊技機枠１と同じものを使用し、遊技盤４１Ａの遊技基盤４２Ａにはベニヤまたは合成樹脂など光遮蔽性を有する板状のものを使用する。表示ユニット６１Ａには、図１の表示ケース６４と同じものを使用し、図１の画像表示器６２と異なる画像表示器６２Ａを使用し、図１には無い表示アダプタ１０７を使用する。画像表示器６２Ａの表示画面６３Ａは、図１の表示画面６３よりも小形である。
【００３７】
遊技盤４１Ａは、光遮蔽性を有する板状の遊技基盤４２Ａに、遊技領域４３、内ガイドレール４４、外ガイドレール４５、アウト口４７、球戻り防止弁４８、球反発体４９、始動部品５０、可変入賞装置５１、ロック挿入孔５２、証紙台５４、球案内体５３Ａ、画像視認部品１０３、図外の入賞部品、図外の遊技釘などが設けられる。球案内体５３Ａは、遊技基盤４２Ａの裏部に設けられ、図１の球案内体５３と同じ機能を有するが、球案内体５３と形状が異なる。画像視認部品１０３の前部が遊技領域４３に配置され、画像視認部品１０３の後部が遊技基盤４２Ａの裏側に突出するように、画像視認部品１０３が遊技基盤４２Ａに取り付けられる。画像視認部品１０３は、前後方向に貫通した画像視認孔１０４と、画像視認孔１０４の後部を閉鎖する光透過性の有る無色な合成樹脂からなる保護板１０５とを備える。
【００３８】
表示ユニット６１Ａは、表示ケース６４に表示アダプタ１０７を取り付け、表示アダプタ１０７に画像表示器６２Ａを取り付けた形態である。表示アダプタ１０７および画像表示器６２Ａの構造については、図１４で説明する。表示ユニット６１Ａおよび遊技盤４１Ａが可動枠３に取り付けられた構造については、図１５で説明する。
【００３９】
図１４を参照し、表示ユニット６１Ａの構造について説明する。表示ケース６４としては、図８の表示ケース６４と同じものである。表示アダプタ１０７は、表示ケース６４の筐体基盤７０と対応する方形なアダプタ基盤１０８の周囲から周壁１０９を後側に直角に突出し、後側に開口した形状である。表示アダプタ１０７には、表示逃避孔１１０、表示取付部１１１、ケース取付部１１２が設けられる。表示逃避孔１１０は、前後方向への貫通孔としてアダプタ基盤１０８に設けられる。表示取付部１１１は、表示逃避孔１１０の周囲に位置し、前後方向への貫通孔としてアダプタ基盤１０８に設けられる。ケース取付部１１２は、アダプタ基盤１０８の周囲に位置し、前後方向への貫通孔としてアダプタ基盤１０８に設けられる。
【００４０】
画像表示器６２Ａは、表示画面６３Ａが図８の表示画面６３よりも小形である。画像表示器６２Ａが液晶表示器の場合、バックライトや導光部材および拡散部材などのような表示画面６３Ａを全体的に照明するバックライト機構部材が、画像表示器６２Ａに含まれる。表示画面６３Ａには、ガラスまたは合成樹脂などの光を透過する性質の有る材料からなる板状の図外の保護パネルが、接触かつ重ね合わされて設けられる。画像表示器６２Ａの裏面には、図外の回路部および図外のコネクタが、画像表示器６２Ａの裏面から裏側に突出して設けられる。画像表示器６２Ａや回路部および保護パネルが、金属フレーム１１７で一体となるように支持される。金属フレーム１１７の前部には前開口１１８が形成される。前開口１１８は、保護パネルの前面が露出する。表示画面６３Ａに表示された画像は、金属フレーム１１７の前側から、前開口１１８および保護パネルを経由して視認可能になる。回路部は、画像表示器６２Ａが表示画面６３Ａに画像を表示し得るように画像表示器６２Ａを起動したり、バックライトを点灯したりするための、駆動や制御などの電気部品である。金属フレーム１１７の側部には、ケース取付部１１９が設けられる。
【００４１】
表示ユニット６１Ａが組み立てられる場合について説明する。画像表示器６２Ａと保護パネルおよび金属フレーム１１７からなる構造体が表示アダプタ１０７の前側から表示逃避孔１１０に挿入され、止ねじ１２０が金属フレーム１１７の前側からケース取付部１１９を経由して表示アダプタ１０７の表示取付部１１１に締結される。これによって、画像表示器６２Ａと保護パネルおよび金属フレーム１１７からなる構造体が表示アダプタ１０７に取り付けられる。また、表示アダプタ１０７が表示ユニット６１Ａの前側から表示ユニット６１Ａの周壁１０９で囲まれた内部に挿入され、止ねじ７９が表示取付部７４を経由してケース取付部１１２に締結される。これによって、表示アダプタ１０７が表示ユニット６１Ａに取り付けられる。
【００４２】
異なる第１の形態によれば、表示ケース６４に図１の画像表示器６２を取り付けるために設けられた表示取付部７４を利用して表示アダプタ１０７を取り付ける構造としたので、小形の画像表示器６２Ａが表示ケース６４に取り付けられるという利点がある。
【００４３】
図１３乃至図１５を参照し、表示ユニット６１Ａおよび遊技盤４１Ａが可動枠３に取り付けられる場合について説明する。先ず、表示ケース６４と表示アダプタ１０７と画像表示器６２Ａとからなる表示ユニット６１Ａが可動枠３に取り付けられ、次に、遊技基盤４２Ａを有する遊技盤４１Ａが可動枠３に取り付けられる。表示ユニット６１Ａが取り付けられる場合、表示画面６３Ａが前側に向けられ、表示ケース６４の裏面が遊技機枠１の方に向けられ、表示ユニット６１Ａが遊技機枠１の前側から盤収容室１３および中央開口部１４を経由して表示収容室２７に挿入され、表示ユニット６１Ａの下縁部が表示受止体３０を前側から後側に越えて表示棚２９の上に搭載される。その後、固定具６７が前側から後側に押し込まれて表示取付部２８に固定される。これによって、表示ユニット６１Ａが、可動枠３に固定的に取り付けられる。
【００４４】
遊技盤４１Ａが可動枠３に取り付けられる場合、遊技領域４３が前側に向けられ、遊技基盤４２Ａの裏面が遊技機枠１の方に向けられ、遊技盤４１Ａが遊技機枠１の前側から盤収容室１３に挿入され、遊技基盤４２Ａの下部が盤棚２０の上に載せられ、遊技基盤４２Ａの左側部が盤押圧ばね１６と盤受止体１７との間に挿入されて盤押圧ばね１６と盤受止体１７とで前後方向から挟まれる。その後、遊技基盤４２Ａの右側部が前側から後側に押され、盤ロック操作体１９がロック挿入孔５２に後側から挿入されて前側に突出した状態において、盤ロック操作体１９が例えば右方向に９０度回転操作され、盤ロック操作体１９がロック挿入孔５２の周りにおける遊技基盤４２Ａと係合し、遊技盤４１Ａが可動枠３に取り付けられる。
【００４５】
そして、表示ユニット６１Ａおよび遊技盤４１Ａが可動枠３に取り付けられた場合、画像視認部品１０３の保護板１０５と表示ユニット６１Ａの表示画面６３Ａとが対向し、遊技者が遊技盤４１Ａの前側から画像視認部品１０３の画像視認孔１０４（図１３参照）および保護板１０５（図１３参照）を経由して画像表示器６２Ａに表示された画像を視認できるようになる。
【００４６】
図１６および図１７は、発明を実施するための異なる第２の形態である。図１６は、パチンコ遊技機を分解して示す。図１７は、遊技盤４１Ｂが可動枠３に取り付けられた縦断面を示す。
【００４７】
図１６を参照し、パチンコ遊技機の構造について説明する。遊技機枠１としては図１の遊技機枠１と同じものを使用し、遊技盤４１Ｂとしては可変入賞部品１２４や始動入賞部品１２３および球案内体５３Ｂが遊技基盤４２Ａに設けられたものを使用し、図１に示す表示ユニット６１や図１３に示す表示ユニット６１Ａを使用しない。球案内体５３Ｂは、遊技基盤４２Ａの裏部に設けられ、図１の球案内体５３や図１３の球案内体５３Ａと同じ機能を有するが、球案内体５３や球案内体５３Ａと形状が異なる。始動入賞部品１２３は、アウト口４７と可変入賞部品１２４との間に位置するように、遊技領域４３に設けられ、球が遊技領域４３から始動入賞部品１２３に入ると、始動入賞部品１２３に入賞した球は球案内体５３Ｂに排出され、賞球が球払出機構から球受皿３５に払い出され、可変入賞部品１２４の開閉体１２５が開閉する。可変入賞部品１２４は、遊技領域４３の中央部に設けられる。可変入賞部品１２４が遊技領域４３の中央部に設けられた場合、可変入賞部品１２４の裏部は遊技基盤４２Ａから裏側に突出する。可変入賞部品１２４における遊技領域４３の側の前部には、開閉体１２５が左右に設けられる。開閉体１２５は、可変入賞部品１２４の裏部に設けられた図外の駆動機構によって、開閉体１２５の下部を中心とし、遊技領域４３と平行するように、左右に開閉する。開閉体１２５が開放した場合、球が遊技領域４３から開閉体１２５の開放された部分を通過して可変入賞部品１２４の内部に入ると、可変入賞部品１２４に入賞した球は球案内体５３Ｂに排出され、賞球が球払出機構から球受皿３５に払い出される。
【００４８】
図１６において、遊技盤４１Ｂが可動枠３に取り付けられる場合、遊技領域４３が前側に向けられ、遊技基盤４２Ａの裏面が遊技機枠１の方に向けられ、遊技盤４１Ｂが遊技機枠１の前側から盤収容室１３に挿入され、遊技基盤４２Ａの下部が盤棚２０の上に載せられ、遊技基盤４２Ａの左側部が盤押圧ばね１６と盤受止体１７との間に挿入されて盤押圧ばね１６と盤受止体１７とで前後方向から挟まれる。その後、遊技基盤４２Ａの右側部が前側から後側に押され、盤ロック操作体１９がロック挿入孔５２に後側から挿入されて前側に突出した状態において、盤ロック操作体１９が例えば右方向に９０度回転操作され、盤ロック操作体１９がロック挿入孔５２の周りにおける遊技基盤４２Ａと係合し、遊技盤４１Ｂが図１７に示すように、可動枠３に取り付けられる。つまり、図１７に示すように、遊技盤４１Ｂの球案内体５３Ｂが表示収容室２７の下部よりも前側に配置され、可変入賞部品１２４の裏部が中央開口部１４を経由して可動枠３の裏側に突出する。可変入賞部品１２４の裏部の遊技基盤４２Ａからの突出した寸法が小さければ、可変入賞部品１２４の裏部が、中央開口部１４を経由して可動枠３の裏側に突出しないで、中央開口部１４よりも前側に配置される場合もある。表示ユニットが使用されることなく、遊技盤４１Ｂが光遮蔽性を有する板状に構成された遊技基盤４２Ａに遊技部品を取り付けた構成であるので、可動枠３を共用して画像表示器を使用しない遊技を提供することができるという利点がある。
【００４９】
要するに、図１に示すように、盤収容室１３と中央開口部１４および表示収容室２７が前から後に順に配置されるように可動枠３に設けられたので、表示収容室２７には図１の表示ユニット６１または図１３の表示ユニット６１Ａが可動枠３の前側から盤収容室１３および中央開口部１４を経由して取り付けられることが可能であり、盤収容室１３には図１の遊技盤４１または図１３の遊技盤４１Ａまたは図１６の遊技盤４１Ｂが可動枠３の前側から取り付けられることが可能である。よって、最良の形態のような使用形態、異なる第１の形態のような使用形態、異なる第２の形態のような使用形態として、１つの可動枠３を使用することができるという利点がある。
【００５０】
つまり、図１に示した可動枠３に、図１の光透過性を有する無色な合成樹脂板により構成された遊技基盤４２に遊技部品を取り付けた遊技盤４１と、図１の大形な画像表示器６２を有する表示ユニット６１とを組み付ける場合、図１３の光遮蔽性を有する板状に構成された遊技基盤４２Ａに遊技部品を取り付けた遊技盤４１Ａと、図１３の小形な画像表示器６２Ａを有する表示ユニット６１Ａとを組み付ける場合、図１の表示ユニット６１や図１３の表示ユニット６１Ａを使用することなく図１６の光遮蔽性を有する板状に構成された遊技基盤４２Ａに遊技部品を取り付けた遊技盤４１Ｂを組み付ける場合が提供できる。
【００５１】
また、図１の表示ユニット６１または図１３の表示ユニット６１Ａが可動枠３の前側から盤収容室１３および中央開口部１４を経由して取り付けられた後、図１の遊技盤４１または図１３の遊技盤４１Ａが可動枠３の前側から盤収容室１３に取り付けられる。つまり、表示ユニット６１または図１３の表示ユニット６１Ａと、遊技盤４１または遊技盤４１Ａが可動枠３の前側から可動枠３に取り付けられる。よって、可動枠３を開けることなく、前扉４を開くだけで、遊技盤４１または遊技盤４１Ａの種類を別のものに交換することができるという利点がある。
【００５２】
図１の表示ユニット６１または図１３の表示ユニット６１Ａを使用する場合、表示ユニット６１または表示ユニット６１Ａが表示収容室２７に収容された後、表示ユニット６１または表示ユニット６１Ａを表示収容室２７に取り付けるための取付具としての固定具６７が表示取付部２８に固定され、表示ユニット６１が表示収容室２７に取り付けられた場合、表示ユニット６１または表示ユニット６１Ａが表示収容室２７よりも前側の盤収容室１３に突出しないように構成されているので、遊技盤４１または遊技盤４１Ａまたは遊技盤４１Ｂの可動枠３への取り付けが適切に行われるという利点がある。
【００５３】
内ガイドレール４４、外ガイドレール４５、球戻り防止弁４８、球反発体４９は、前扉４に設けてもよい。
【００５４】
光遮蔽性を有する遊技基盤４２Ａと大型な画像表示器６２との組み合わせも可能である。この場合、画像表示器６２における図１３の保護板１０５に対応する部分に画像を表示するようにしてもよい。
【図面の簡単な説明】
【００５５】
【図１】パチンコ遊技機の分解斜視図（最良の形態）。
【図２】表示ユニットが遊技機枠に取り付けられた斜視図（最良の形態）。
【図３】表示ユニットが可動枠に取り付けられた縦断面図（最良の形態）。
【図４】遊技盤が遊技機枠に取り付けられた斜視図（最良の形態）。
【図５】遊技盤および表示ユニットが可動枠に取り付けられた縦断面図（最良の形態）。
【図６】遊技盤および表示ユニットが遊技機枠に取り付けられた横断面図（最良の形態）。
【図７】遊技盤と表示ユニットとの関係を示す正面図（最良の形態）。
【図８】表示ユニットの分解斜視図（最良の形態）。
【図９】固定具の分解斜視図（最良の形態）。
【図１０】固定具が固定取付部に取り付けられた縦断面図（最良の形態）。
【図１１】固定具が表示取付部に挿入された縦断面図（最良の形態）。
【図１２】固定具が表示取付部に取り付けられた縦断面図（最良の形態）。
【図１３】パチンコ遊技機の分解斜視図（第１の形態）。
【図１４】表示ユニットの分解斜視図（第１の形態）。
【図１５】遊技盤および表示ユニットが可動枠に取り付けられた縦断面図（第１の形態）。
【図１６】パチンコ遊技機の分解斜視図（第２の形態）。
【図１７】遊技盤が可動枠に取り付けられた縦断面図（第２の形態）。
【符号の説明】
【００５６】
３  可動枠、１３  盤収容室、１４  中央開口部、２７  表示収容室、４１  遊技盤、
４１Ａ  遊技盤、４１Ｂ  遊技盤、４２  遊技基盤、４２Ａ  遊技基盤、
６１  表示ユニット、６１Ａ  表示ユニット、６２  画像表示器、６２Ａ  画像表示器、
６３Ａ  表示画面。
【図１】
2008022980.tif 000003
【図２】
2008022980.tif 000004
【図３】
2008022980.tif 000005
【図４】
2008022980.tif 000006
【図５】
2008022980.tif 000007
【図６】
2008022980.tif 000008
【図７】
2008022980.tif 000009
【図８】
2008022980.tif 000010
【図９】
2008022980.tif 000011
【図１０】
2008022980.tif 000012
【図１１】
2008022980.tif 000013
【図１２】
2008022980.tif 000014
【図１３】
2008022980.tif 000015
【図１４】
2008022980.tif 000016
【図１５】
2008022980.tif 000017
【図１６】
2008022980.tif 000018
【図１７】
2008022980.tif 000019